(57)【要約】  アセンブリ（３０）が、エレベータシステム（２０）におけるカウンタウェイト（２４）の下降を制御する。カウンタウェイト（２４）の下降を制限することによって、エレベータかご（２２）の上に所望のオーバヘッドクリアランスを維持することができる。開示例においては、エレベータかご（２２）の頂部に少なくとも１つの安全装置（８０，８４，８６，８８）を備え、保持部材がカウンタウェイト（２４）の下降を制限する位置までアセンブリ（３０）の停止部材を動かすときを指示する。開示例においては、停止部材（３２）が重力によって利用位置に動き、必要でないときには格納位置に手動で戻すことができる。開示例においては、停止部材（３２）が利用位置にあるときに、停止部材の位置を制御し易くする案内部材（６０）を含む。
2009541182.tif 000002
【特許請求の範囲】
【請求項１】
エレベータかごと、
エレベータかごに接続されたカウンタウェイトと、
エレベータかごの頂部に支持された少なくとも１つの安全装置と、
少なくとも１つの安全装置からの表示に応答して、格納位置から、カウンタウェイトの下降を制限する利用位置まで、自動的に動き、それによって、エレベータかごの上昇を制限する停止部材と、
を備えるエレベータアセンブリ。
【請求項２】
前記表示は、エレベータかごの頂部に人がいることを示すものであるか、人がエレベータかごの頂部にアクセスしようとしていることを示すものであることを特徴とする請求項１に記載のアセンブリ。
【請求項３】
安全装置は、エレベータかごの頂部に、点検モード位置に動かすことができる手摺りを含み、停止部材は、手摺りが点検モード位置にあることに応答して、利用位置に動くことを特徴とする請求項１に記載のアセンブリ。
【請求項４】
安全装置は、エレベータかごの頂部にいる人の存在を検知する少なくとも１つのセンサを備えることを特徴とする請求項１に記載のアセンブリ。
【請求項５】
エレベータかごの頂部から知覚可能な少なくとも１つの視覚的または音声的な表示器を備え、停止部材が利用位置にあるときに、前記少なくとも１つの表示器が、対応する表示を与えることを特徴とする請求項１に記載のアセンブリ。
【請求項６】
停止部材が格納位置にあるときに、少なくとも１つの視覚的または音声的な表示器が、対応する表示を与えることを特徴とする請求項５に記載のアセンブリ。
【請求項７】
停止部材が、停止部材の第１の端部と反対側の第２の端部とが鉛直方向に整列する格納位置と、第２の端部が第１の端部との鉛直方向の整列からずれて、停止部材が格納位置に対して斜めの角度となる利用位置と、の間で枢軸回転できるように、停止部材の第１の端部付近で枢支されていることを特徴とする請求項１に記載のアセンブリ。
【請求項８】
少なくとも１つの固定された鉛直部材と、
停止部材の第２の端部付近に取付けられた案内部材であって、停止部材に枢結された第１の部分と、前記固定された鉛直部材の表面と係合する少なくとも１本のアームを有する第２の部分と、を有し、停止部材が利用位置にあるときに、前記表面と停止部材の第２の端部との間の距離を制限する案内部材と、
を備えることを特徴とする請求項７に記載のアセンブリ。
【請求項９】
停止部材が格納位置と利用位置との間で動くのと同時に前記第１の部分が停止部材に対して枢軸回転するとき、前記少なくとも１本のアームが鉛直方向に動いて前記表面を追従することを特徴とする請求項８に記載のアセンブリ。
【請求項１０】
案内部材の第２の部分は、前記固定された鉛直部材の表面と係合する２本のアームを備え、２本のアームの各々が互いに対向する離間した端部を有し、これらの端部間に前記固定された鉛直部材の一部を受けることを特徴とする請求項８に記載のアセンブリ。
【請求項１１】
停止部材と係合して停止部材を格納位置に保持する保持位置と、停止部材の動きを妨げない解放位置と、の間で、停止部材に対して水平方向に可動なピンを有し、電気的に作動される保持部材と、
ピンを少なくとも解放位置に選択的に動かすように作動可能な電力供給されたアクチュエータと、
を備え、
ピンが解放位置にあるときには常に、停止部材は、格納位置から利用位置へ動くように付勢されていることを特徴とする請求項１に記載のアセンブリ。
【請求項１２】
ピンは、保持位置にあるとき、少なくとも一部が停止部材の孔に収容されることを特徴とする請求項１１に記載のアセンブリ。
【請求項１３】
停止部材が少なくとも利用位置にあることを示す信号を与える少なくとも１つの信号伝達装置を備えることを特徴とする請求項１に記載のアセンブリ。
【請求項１４】
停止部材の第１の端部と反対側の第２の端部とが概ね鉛直方向に整列する格納位置と、第２の端部が第１の端部との鉛直方向の整列からずれて、停止部材が格納位置に対して斜めの角度となる利用位置と、の間で、動くことができるように、第１の端部の付近で枢支された停止部材と、
停止部材の第２の端部付近に取り付けられた案内部材であって、停止部材に枢結された第１の部分と、前記固定された鉛直表面と係合する少なくとも１本のアームを有する第２の部分と、を有し、停止部材が格納位置から利用位置まで動くときに、停止部材の第２の端部が水平方向に動く距離を制限する案内部材と、
を備えるエレベータカウンタウェイトの動きを制限するアセンブリ。
【請求項１５】
停止部材が利用位置にあるときに、案内部材が停止部材の第２の端部を少なくとも部分的に覆うことを特徴とする請求項１４に記載のアセンブリ。
【請求項１６】
停止部材に対して鉛直方向に動くように支持されたカウンタウェイトを備え、停止部材が利用位置にあるとともにカウンタウェイトが対応する鉛直方向位置にある場合、カウンタウェイトが案内部材の受け板と接触することを特徴とする請求項１５に記載のアセンブリ。
【請求項１７】
少なくとも１つの固定された鉛直部材を備え、停止部材が利用位置にあるとき、前記少なくとも１本のアームは、前記固定された鉛直部材の表面と係合することを特徴とする請求項１４に記載のアセンブリ。
【請求項１８】
停止部材が格納位置と利用位置との間で動くのと同時に前記第１の部分が停止部材に対して枢軸回転するとき、前記少なくとも１本のアームは、鉛直方向に動いて前記表面を追従することを特徴とする請求項１７に記載のアセンブリ。
【請求項１９】
案内部材の第２の部分は、前記固定された鉛直部材の表面と係合する２本のアームを備え、これら２本のアームの各々が互いに対向しつつ離間した端部を有し、これらの端部間に前記固定された鉛直部材の一部を受けることを特徴とする請求項１７に記載のアセンブリ。
【請求項２０】
停止部材と係合して停止部材を格納位置に保持する保持位置と、停止部材の動きを妨げない解放位置と、の間で、停止部材に対して水平方向に可動なピンを有する保持部材を備え、ピンが解放位置にあるときは常に、停止部材は、格納位置から利用位置へ動くように付勢されていることを特徴とする請求項１４に記載のアセンブリ。
【請求項２１】
停止部材を利用位置から格納位置まで手動で動かすことができることを特徴とする請求項２０に記載のアセンブリ。
【請求項２２】
停止部材が利用位置にあることを検知する少なくとも１つのスイッチと、
前記少なくとも１つのスイッチに応答して停止部材が利用位置にあることを表示する少なくとも１つの視覚的または音声的な表示器と、
を有する少なくとも１つの信号伝達装置を備えることを特徴とする請求項１４に記載のアセンブリ。
【発明の詳細な説明】
【技術分野】
【０００１】
本発明は、概してエレベータシステムに関し、詳しくは、保守点検の際にエレベータかごの上に安全なオーバヘッドクリアランスを維持することに関する。
【背景技術】
【０００２】
エレベータシステムは、異なる条件に応じて様々な安全装置を備える。例えば、保守点検の際に保守作業員の安全を確保する周知の種々の装置がある。そのような安全装置の一型式が、スイス国特許６６７，６３８号明細書に示され、かごがピット内に入ることを防ぐようにエレベータかごの底面に接触する位置に動くことができる昇降路ピット内の支持器が提示されている。米国特許５，７２７，６５７号明細書には、他の装置が提示されている。その装置は、同様の機能を有するとともに、停止装置を動かすための動力が与えられるアクチュエータを有する。
【０００３】
エレベータシステムの近年の発展としては、昇降路の上の機械室を除去し、昇降路の頂部付近にエレベータ機械を据付けることがある。そのような機械室のないエレベータシステムでは、例えば、エレベータかごと、昇降路内の天井面と、の間のクリアランスが小さい。他の近年のエレベータシステムでは、機械室のある型式のエレベータであっても、通常の運転時にオーバヘッドクリアランスが小さい。
【発明の概要】
【発明が解決しようとする課題】
【０００４】
当業者であれば、例えば、保守点検作業の際に、かごの頂部にいる保守作業員の安全を確保する安全装置の改善に努めている。
【課題を解決するための手段】
【０００５】
エレベータシステムアセンブリの一例が、エレベータかごと、このエレベータかごに接続されたカウンタウェイトと、を含む。少なくとも１つの安全装置が、エレベータかごの頂部に支持されている。停止部材が、安全装置からの指示に応答して、格納位置から、カウンタウェイトの下降を制限する利用位置まで、自動的に動き、それによって、エレベータかごの上昇を制限する。
【０００６】
一実施例においては、安全装置からの指示は、エレベータかごの頂部に人がいることを示すものである。
【０００７】
一実施例においては、安全装置は、エレベータかごの頂部で点検モードに動かすことができる手摺りであり、この例における停止部材は、手摺りが点検モード位置にあることに応答して、利用位置に動く。
【０００８】
他の例においては、少なくとも１つのセンサがエレベータかごの頂部にいる人の存在を検知し、停止部材が利用位置に動くように指示を与える。
【０００９】
エレベータのカウンタウェイトの動きを制限するアセンブリの一例においては、停止部材が、格納位置と利用位置との間で可動となるように、該停止部材の第１の端部付近で枢支されている。格納位置においては、停止部材の第１の端部と反対側の第２の端部とが概ね鉛直方向に整列する。利用位置においては、第２の端部が第１の端部との鉛直方向の整列からずれて、停止部材が格納位置に対して斜めの角度になる。停止部材の第２の端部付近にある案内部材が、停止部材に枢結された第１の部分を有する。案内部材の第２の部分が、固定された鉛直表面と係合する少なくとも１本のアームを有し、停止部材が格納位置から利用位置まで動くとき、案内部材は、停止部材の第２の端部が水平方向に動く距離を制限する。
【図面の簡単な説明】
【００１０】
【図１】本発明の実施例のエレベータシステムの選択された部分を示す図。
【図２】カウンタウェイトの下降を制限するアセンブリの一例を示す図。
【図３】他の視点から見た図２の実施例を示す斜視図。
【図４】図２および図３の実施例の選択された特徴部を概略的に示す図。
【発明を実施するための形態】
【００１１】
本発明は、昇降路内のエレベータかごの上に所望の大きさのオーバヘッドクリアランスを維持することを容易にする。カウンタウェイトの下降を制限するために、アセンブリが設置されている。カウンタウェイトが所望の高さよりも下がらないようにすることによって、関連するエレベータかごが昇降路内で選択された高さよりも上がらないようにする。開示例においては、エレベータかごの頂部にある少なくとも１つの安全装置によって、エレベータかごの上に所望のオーバヘッドクリアランスを与えるために、カウンタウェイトの下降を制限する位置に停止部材を動かすべきときが指示される。
【００１２】
図１は、カウンタウェイト２４と接続され、昇降路２６内で周知のように鉛直方向に動くエレベータかご２２を含むエレベータシステム２０の選択された部分を概略的に示す。例えば、カウンタウェイト２４とエレベータかご２２とは、周知の構成でローピングないしベルトを使って接続されている。
【００１３】
アセンブリ３０は、昇降路２６内でカウンタウェイト２４の下降を制限するように選択的に位置づけられた停止部材３２を含む。カウンタウェイト２４が選択された高さよりも下降しないようにすることによって、エレベータかご２２が選択された高さよりも上昇しないようにする。
【００１４】
図示した例においては、保持部材３４が、通常のエレベータシステム運転時に格納位置に停止部材３２を維持し、カウンタウェイト２４が昇降路２６の底部３６に接近することが許されるとともにエレベータかご２２が昇降路２６の天井３８に接近することが許される。
【００１５】
エレベータシステム２０においては、保守点検作業が要求されることがある。そのような時に、技術者ないし保守作業員がエレベータかご２２の頂部にアクセスすることができるために、昇降路２６の天井３８とエレベータかご２２の頂部との間に十分な空間を存在させるように、エレベータかごの上に適当なオーバヘッドクリアランスを維持することが望ましい。そのような状況においては、保持部材３４が停止部材３２を解放し、停止部材３２がカウンタウェイト２４の下降を制限する利用位置に動けるようにする。図示した例においては、停止部材３２は、重力によって利用位置に向かって付勢されており、自重によって、図１に点線で概略的に示される格納位置から図１に概略的に示される利用位置に動くことができる。この例においては、停止部材３２の位置を手動で格納位置にリセットすることが要求され、エレベータかご２２の上に適当なオーバヘッドクリアランスを維持することが次に要求されるまで、保持部材３４によってこの位置に維持することができる。
【００１６】
図２および図３を参照すると、アセンブリ３０の一例が、静止した鉛直表面に固定された設置チャネル４０を含む。この例においては、設置チャネル４０は、複数の留め具４４によってガイドレール４２に固定されている。この例においては、ガイドレール４２は、例えば、昇降路２６内でエレベータかご２２およびカウンタウェイト２４の少なくとも一方の鉛直方向の動きを案内する。設置チャネル４０は、昇降路２６内で静止した鉛直方向の位置に周知のように固定されているガイドレール４２と平行に並べられる。
【００１７】
停止部材３２は、設置チャネル４０によって枢結部５２で枢支されている第１の端部５０を含む。停止部材３２が図３に示される格納位置にあるとき、停止部材３２の第１の端部５０と反対側の第２の端部５４とが鉛直方向に整列している。停止部材３２は、図３に示される格納位置に保持部材３４によって保持されている。
【００１８】
保持部材３４が停止部材３２を解放すると、第２の端部５４が設置チャネル４０から離れるように倒れて図２に示される利用位置になる。この例においては、案内部材６０が、停止部材３２の第２の端部５４と設置チャネル４０との間の水平方向距離の大きさを制限する。言い換えれば、停止部材３２がカウンタウェイト２４の鉛直方向の下降を制限する利用位置にあるとき、案内部材６０は、設置チャネル４０に対して傾けられる停止部材３２の斜め方向の角度を制御する。
【００１９】
この例においては、案内部材６０は、停止部材３２の第１の端部５４付近に枢設された第１の部分６２を有する。この例においては、第１の部分６２は、停止部材３２が図２の利用位置にあるときに停止部材３２の第２の端部５４を覆う受け板を含む。第１の部分６２の受け板は、カウンタウェイト２４が昇降路内で十分な低さまで下降する場合、エレベータカウンタウェイト２４の対応する部分と物理的に接触する。
【００２０】
この例における案内部材６０の第２の部分６４は、ガイドレール４２の表面などの固定された鉛直表面と係合する２本のアームを含む。この例におけるアームは、案内部材６０の第１の部分６２の受け板から延在する概ねＬ字形の形状の突起物である。図から理解されるように、停止部材３２が図３の格納位置から図２の利用位置に動くときに、第２の部分６４のアームは、ガイドレール４２に沿って摺動し、第１の部分６２は、停止部材３２の第２の端部５４に対して枢軸回転する。この例においては、第１の部分６２は、第２の端部５４付近で停止部材３２に設けられたピンないし突起物６８に追従するスロット６６を含む。案内部材６０は、設置チャネル４０およびガイドレール４２に対する停止部材３２の位置を安定的に信頼性高く制御する。一例においては、停止部材３２、設置チャネル４０および案内部材６０は、すべて金属製の部品からなる。
【００２１】
図４に概略的に示すように、保持部材３４は、例示の停止部材３２の側面に形成された少なくとも１つの開口部７０内に突出するピンを含む。このピン７２は、格納位置と利用位置との間における停止部材３２の動きの方向に対して概ね垂直な方向に動く。保持部材３４は、ピン７２の位置を制御するソレノイドコイルなどの、電気的に動力を与えられたアクチュエータを含む。一例においては、停止部材３２が利用位置まで動くことが望ましいときは常に、ピン７２は、停止部材３２から離間して格納されるように、保持部材３４のアクチュエータ部によって動かされる。
【００２２】
図示した例においては、停止部材３２の現在の位置を示す少なくとも１つのスイッチ７４を含む。このスイッチ７２は、停止部材３２が格納位置にあるとき、利用位置にあるとき、または両方のときに表示を与える。
【００２３】
一例においては、保持部材３４は、エレベータかご２２の頂部に設けられた少なくとも１つの安全装置からの表示に応答するように制御される。図１に示した例においては、人８２がエレベータかご２２の頂部で選択的に定位置に設置することができる手摺りないし柵８０が含まれる。柵８０が点検モード位置（例えば、安全柵として機能する位置）にあるときは常に、点検モード位置を検知するスイッチまたはセンサが、保持部材３４に指示を与え、停止部材３２を利用位置に動かすようにピン７２を格納させる。他の安全装置を、同じ目的に使用してもよいし、１つまたは複数の種々の安全装置と組み合わせて使用してもよい。
【００２４】
図示した例においては、少なくとも１つのセンサ８４が、エレベータかご２２の頂部にいる人８２の重量を検知する。他のセンサ８６が、動作検出器ないし光センサのような周知技術を利用して、エレベータかご２２の頂部にいる人８２の存在を検知する。
【００２５】
図１に示す他の例の安全装置は、エレベータシステム２０が点検モードにあるときに、所望の機能を得るために認証された人８２が操作することができる少なくとも１つのスイッチを含むエレベータかご２２の頂部にあるコントロールパネル８８である。一例においては、このようなスイッチが作動して、保持部材３４に指示を与え、停止部材３２を利用位置に動かすようにする。
【００２６】
一例においては、コントロールパネル８８はまた、停止部材３２の位置を視覚（例えば光）表示または音声表示のうちの少なくとも一方で表示する表示器を含み、この表示器によって、エレベータかご２２の頂部から停止部材３２の位置を認識することができる。一例においては、停止部材３２が利用位置に動くときは常に、エレベータかご２２の頂部に、対応する視覚的表示または音声的表示を与え、エレベータかご２２の上に適当なオーバヘッドクリアランスを維持する停止部材３２の機能に関して、人８２に安心感を与える。
【００２７】
図示した例においては、エレベータかご２２の頂部にいる人８２が観測することができる（すなわち、視覚や聴覚で分かる）位置に、昇降路２６内に支持されたもう１つの指示器９０が含まれている。特定の状況の必要性を満足するために、コントロールパネル８８上の表示器または表示器９０またはこれらの組合せを使用することができる。
【００２８】
当業者であれば、この記述が与えられれば、エレベータかご２２の頂部にある安全装置、表示器またはこれらの両方のうち、どの組合せが特定の状況の必要性を満たすのに十分であるかを理解されるであろう。例えば、当業者であれば、停止部材３２の位置の所望の制御と、エレベータかご２２の頂部付近に与えられる所望の表示と、を実現するために、周知のデバイスの中から選択することができ、これらのデバイス間での結線による通信または無線通信を整備することができる。
【００２９】
開示例においては、停止部材３２が利用位置に自動的に解放される。図示した例においては、停止部材３２によって与えられたオーバヘッドクリアランスが必要ではなくなった後に、停止部材３２は、手動で格納位置に戻される。保持部材３４は、エレベータかご２２の上にオーバヘッドクリアランスが次に必要とされるまで、停止部材を格納位置に維持する。一例においては、保持部材３４は、停止部材３２が格納位置に動くことに応答して、アクチュエータからピン７２を延ばし、開口部７０がこのピン７２を受ける。他の例においては、手動で制御することができる別のスイッチを使用して、ピン７２が保持位置に位置するように解放する。
【００３０】
開示例は、いわゆる低オーバヘッドのエレベータシステムにおいて、エレベータかご２２の上に適当なオーバヘッドクリアランスを確保するための改善された方法を提示する。
【００３１】
前述の説明は、本質を限定するためのものではなく例示するためのものである。当業者であれば、本発明の本質から必ずしも逸脱することなく、開示例に対する変更や修正がなされ得ることを理解されるであろう。
【図１】
2009541182.tif 000003
【図２】
2009541182.tif 000004
【図３】
2009541182.tif 000005
【図４】
2009541182.tif 000006
2009541182.tif 000007
【手続補正書】
【提出日】平成19年6月28日(2007.6.28)
【手続補正１】
【補正対象書類名】特許請求の範囲
【補正対象項目名】全文
【補正方法】変更
【補正の内容】
【特許請求の範囲】
【請求項１】
エレベータかごと、
エレベータかごに接続されたカウンタウェイトと、
エレベータかごの頂部に支持された少なくとも１つの安全装置と、
前記少なくとも１つの安全装置からの指示に応答して、格納位置から、カウンタウェイトの下降を制限する利用位置まで、自動的に動くように構成され、それによって、エレベータかごの上昇を制限する停止部材と、
エレベータかごの頂部から知覚可能な少なくとも１つの視覚的または音声的な表示器を備え、
停止部材が利用位置にあるときに、前記少なくとも１つの表示器が、対応する表示を与えることを特徴とするエレベータアセンブリ。
【請求項２】
前記指示は、エレベータかごの頂部に人がいることを示すものであるか、人がエレベータかごの頂部にアクセスしようとしていることを示すものであることを特徴とする請求項１に記載のアセンブリ。
【請求項３】
安全装置は、エレベータかごの頂部に、点検モード位置に動かすことができる手摺りを含み、停止部材は、手摺りが点検モード位置にあることに応答して、利用位置に動くことを特徴とする請求項１に記載のアセンブリ。
【請求項４】
安全装置は、エレベータかごの頂部にいる人の存在を検知する少なくとも１つのセンサを備えることを特徴とする請求項１に記載のアセンブリ。
【請求項５】
停止部材が格納位置にあるときに、前記少なくとも１つの視覚的または音声的な表示器が、対応する表示を与えるように構成されていることを特徴とする請求項１に記載のアセンブリ。
【請求項６】
停止部材が第１の端部付近で枢支されており、停止部材の第１の端部と反対側の第２の端部とが鉛直方向に整列する格納位置と、第２の端部が第１の端部との鉛直方向の整列からずれて、停止部材が格納位置に対して斜めの角度となる利用位置と、の間で枢軸回転できるようになっていることを特徴とする請求項１に記載のアセンブリ。
【請求項７】
少なくとも１つの固定された鉛直部材と、
停止部材の第２の端部付近に取付けられた案内部材であって、停止部材に枢結された第１の部分と、前記固定された鉛直部材の表面と係合する少なくとも１本のアームを有する第２の部分と、を有し、停止部材が利用位置にあるときに、前記表面と停止部材の第２の端部との間の距離を制限する案内部材と、
を備えることを特徴とする請求項６に記載のアセンブリ。
【請求項８】
停止部材が格納位置と利用位置との間で動くのと同時に前記第１の部分が停止部材に対して枢軸回転するとき、前記少なくとも１本のアームが鉛直方向に動いて前記表面を追従するように構成されていることを特徴とする請求項７に記載のアセンブリ。
【請求項９】
案内部材の第２の部分は、前記固定された鉛直部材の表面と係合する２本のアームを備え、２本のアームの各々が互いに対向する離間した端部を有し、これらの端部間に前記固定された鉛直部材の一部を受けることを特徴とする請求項７に記載のアセンブリ。
【請求項１０】
停止部材と係合して停止部材を格納位置に保持する保持位置と、停止部材の動きを妨げない解放位置と、の間で、停止部材に対して水平方向に可動なピンを有し、電気的に作動される保持部材と、
電気的に動力を与えられ、ピンを少なくとも解放位置に選択的に動かすように作動可能なアクチュエータと、
を備え、
ピンが解放位置にあるときには常に、停止部材は、格納位置から利用位置へ動くように付勢されていることを特徴とする請求項１に記載のアセンブリ。
【請求項１１】
ピンは、保持位置にあるとき、少なくとも一部が停止部材の孔に収容されていることを特徴とする請求項１０に記載のアセンブリ。
【請求項１２】
停止部材が少なくとも利用位置にあることを示す信号を与える少なくとも１つの信号伝達装置を備えることを特徴とする請求項１に記載のアセンブリ。
【請求項１３】
停止部材であって、該停止部材の第１の端部と反対側の第２の端部とが概ね鉛直方向に整列する格納位置と、第２の端部が第１の端部との鉛直方向の整列からずれて、該停止部材が格納位置に対して斜めの角度となる利用位置と、の間で、動くことができるように、該停止部材の第１の端部の付近で枢支された停止部材と、
停止部材の第２の端部付近に取り付けられた案内部材であって、停止部材に枢結された第１の部分と、固定された鉛直表面と係合する少なくとも１本のアームを有する第２の部分と、を有し、停止部材が格納位置から利用位置まで動くときに、停止部材の第２の端部が水平方向に動く距離を制限する案内部材と、
を備え、
案内部材は、停止部材が利用位置にあるときに停止部材の第２の端部を少なくとも部分的に覆う受け板を有し、この受け板は、エレベータカウンタウェイトの対応する部分と物理的に接触するように構成されていることを特徴とする、エレベータカウンタウェイトの動きを制限するアセンブリ。
【請求項１４】
停止部材に対して鉛直方向に動くように支持されたカウンタウェイトを備え、停止部材が利用位置にあるとともにカウンタウェイトが対応する鉛直方向位置にある場合、カウンタウェイトが案内部材の受け板と接触することを特徴とする請求項１３に記載のアセンブリ。
【請求項１５】
少なくとも１つの固定された鉛直部材を備え、停止部材が利用位置にあるとき、前記少なくとも１本のアームは、前記固定された鉛直部材の表面と係合することを特徴とする請求項１３に記載のアセンブリ。
【請求項１６】
停止部材が格納位置と利用位置との間で動くのと同時に前記第１の部分が停止部材に対して枢軸回転するとき、前記少なくとも１本のアームは、鉛直方向に動いて前記表面を追従するように構成されていることを特徴とする請求項１５に記載のアセンブリ。
【請求項１７】
案内部材の第２の部分は、前記固定された鉛直部材の表面と係合する２本のアームを備え、これら２本のアームの各々が互いに対向しつつ離間した端部を有し、これらの端部間に前記固定された鉛直部材の一部を受けることを特徴とする請求項１５に記載のアセンブリ。
【請求項１８】
停止部材と係合して停止部材を格納位置に保持する保持位置と、停止部材の動きを妨げない解放位置と、の間で、停止部材に対して水平方向に可動なピンを有する保持部材を備え、ピンが解放位置にあるときは常に、停止部材は、格納位置から利用位置へ動くように付勢されていることを特徴とする請求項１３に記載のアセンブリ。
【請求項１９】
停止部材を利用位置から格納位置まで手動で動かすことができることを特徴とする請求項１８に記載のアセンブリ。
【請求項２０】
停止部材が利用位置にあることを検知する少なくとも１つのスイッチと、
前記少なくとも１つのスイッチに応答して停止部材が利用位置にあることを表示するように構成された少なくとも１つの視覚的または音声的な表示器と、
を有する少なくとも１つの信号伝達装置を備えることを特徴とする請求項１３に記載のアセンブリ。
【請求項２１】
停止部材であって、該停止部材の第１の端部と反対側の第２の端部とが概ね鉛直方向に整列する格納位置と、第２の端部が第１の端部との鉛直方向の整列からずれて、該停止部材が格納位置に対して斜めの角度となる利用位置と、の間で、動くことができるように、該停止部材の第１の端部の付近で枢支された停止部材と、
停止部材の第２の端部付近に取り付けられた案内部材であって、停止部材に枢結された第１の部分と、前記固定された鉛直表面と係合する少なくとも１本のアームを有する第２の部分と、を有し、停止部材が格納位置から利用位置まで動くときに、停止部材の第２の端部が水平方向に動く距離を制限する案内部材と、
少なくとも１つの固定された鉛直部材と、
を備え、
停止部材が利用位置にあるとき、前記少なくとも１本のアームは、前記固定された鉛直部材の表面と係合し、停止部材が格納位置と利用位置との間で動くのと同時に前記第１の部分が停止部材に対して枢軸回転するとき、前記少なくとも１本のアームは、鉛直方向に動いて前記表面を追従するように構成されていることを特徴とする、エレベータカウンタウェイトの動きを制限するアセンブリ。
【請求項２２】
案内部材の第２の部分は、前記固定された鉛直部材の表面と係合する２本のアームを備え、これら２本のアームの各々が互いに対向しつつ離間した端部を有し、これらの端部間に前記固定された鉛直部材の一部を受けることを特徴とする請求項２１に記載のアセンブリ。
【国際調査報告】
2009541182.tif 000008
2009541182.tif 000009
2009541182.tif 000010